(57)【要約】      （修正有）【課題】着用者の好みに応じて様々なデザイン及び機能を有するスマートウォッチを簡単な締結方式により切り替え及び使用可能な組立式スマートウォッチを提供する。【解決手段】組立式スマートウォッチは、時間、日付、天気、マルチメディアを含む便宜機能の設定、選択、及び駆動が行われるよう構成された時計本体１００と、時計本体１００の上側外周面に分離自在に結合されたベゼル１３０と、両側端部に時計バンドが切り替え可能に構成され、上部で時計本体１００が分離自在に結合し、ベゼル１３０の下部が装着されながら機密性を向上させるよう構成されたケース部材２００と、ケース部材２００を貫通しながら時計本体１００と分離自在に結合し、便宜機能の選択及び駆動を行う設定ムーブメント１６０と、を含む。【選択図】図１
2019060845.tif 000002
【特許請求の範囲】
【請求項１】
組立式スマートウォッチにおいて、
時間、日付、天気、マルチメディアを含む便宜機能の設定、選択、及び駆動が行われるよう構成された時計本体と、
前記時計本体の上側外周面に分離自在に結合されたベゼルと、
両側端部に時計バンドが切り替え可能に構成され、上部に前記時計本体が分離自在に結合され、前記ベゼルの下部が装着されながら機密性を向上させるよう構成されたケース部材と、
前記ケース部材を貫通しながら前記時計本体と分離自在に結合され、前記便宜機能の選択及び駆動を行う設定ムーブメントと、
を含むことを特徴とする組立式スマートウォッチ。
【請求項２】
前記時計本体には、
下部面に分離自在に結合された電源供給部材と、
前記電源供給部材を前記時計本体に連結させるトリガーと、
移動端末と連動され、前記設定ムーブメントの作動有無に応じて前記便宜機能を出力するように制御する制御基板と、
前記制御基板の制御に応じて前記便宜機能を出力するディスプレイ部と、
前記制御基板が内部に実装され、上部面に前記ディスプレイ部が結合され、前記ケース部材に分離自在に結合されたよう前記ベゼルが結合して上部外周面に沿って形成される装着部と、前記ケース部材と結合時に前記ディスプレイ部の表示位置が一定の位置に形成されるよう外周面に複数構成されるガイド溝と、前記ケース部材を貫通する締結手段が締結される締結溝と、前記締結溝の一側又は両側にそれぞれ形成され、前記設定ムーブメントと制御基板との電気的な接続を行う接続部と、下部外周面に突出形成され、外周面に沿って第１結合溝と前記第１結合溝の上側端部から垂直に延びる第２結合溝が形成された結合部から構成された時計ハウジングと、
をさらに含むことを特徴とする、請求項１に記載の組立式スマートウォッチ。
【請求項３】
前記ケース部材には前記ベゼルの下部が装着される連結段付け部と、前記時計本体とケース部材とを結合する締結手段と前記設定ムーブメントが貫通するように形成された貫通ホールと、内周面に結合プレートを固定させる固定溝と、前記時計本体の結合時に一定の方向にのみ結合が行われるようし、前記時計本体とケース部材の堅固な結合が行われるよう支持する結合プレートがさらに構成されることを特徴とする、請求項１に記載の組立式スマートウォッチ。
【発明の詳細な説明】
【技術分野】
【０００１】
本発明は、組立式スマートウォッチに関し、より詳しくは、着用者の好みに応じて様々なデザイン及び機能を有する部品を簡単な締結方式により切り替えて使用することができ、消費者が高価な時計をデザインごとに収集したり着用したいとき、デザインを別にして該当部品のみを切り替えれば良いため、所要費用を著しく節減できる組立式スマートウォッチに関する。
【背景技術】
【０００２】
一般的に、移動端末の機能は、データと音声通信、カメラを通した写真撮影及びビデオ撮影、音声録音、スピーカーシステムを通した音楽ファイル再生、そして、ディスプレイ部にイメージやビデオを出力するなど、多様化している。
【０００３】
特に、移動端末と無線に連動されて様々な付加機能を有するスマートウォッチが普及されている。スマートウォッチのディスプレイは、通常の移動端末の長方形状ではなく円形のディスプレイ部が登場することにより、一般アナログ時計と類似な形状をする製品も存在し、最近では手首時計の形態に具現された移動端末であるスマートウォッチ（ｓｍａｒｔ  ｗａｔｃｈ）に対する需要が次第に増加している傾向である。
【０００４】
ここで、スマートウォッチは、一般の時計よりも向上した機能を有している埋め込みシステムの手首時計であって、モバイル運営体制を設けてスマートフォンと同じ機能を実行し、自分の個性を表現するための様々なデザインが適用され得る。
【０００５】
一例として、大韓民国公開特許第１０−２０１７−００２７９２９号には、多角形状を有するボディー部及び前記ボディー部の少なくとも一辺から延びて前記ボディー部からベンディングされたコーナー部を含む表示パネルと、前記表示パネルの下部に配置し、前記ボディー部の面積と前記コーナー部の面積の合計よりも小さい面積を有するハウジングを含み、前記コーナー部は、前記ボディー部の前記一辺と前記ボディー部の前記一辺に連結された前記ボディー部の他の辺が互いに接する辺に定義されることを特徴とするスマートウォッチが掲載されている。
【０００６】
しかし、従来技術に係るスマートウォッチは、単に既存の多角形状を有する表示パネルの一部をベンディングさせることで円形表示部を実現したものであり、円形の表示パネルを製作する工程の代わりに、既存の多角形状の表示パネルを製作する工程を用いて円形スマートウォッチを実現するものとして、スマートウォッチに対する様々なデザインを消費者に提供するには難しい問題がある。
【先行技術文献】
【特許文献】
【０００７】
【特許文献１】大韓民国公開特許第１０−２０１７−００２７９２９号
【発明の概要】
【発明が解決しようとする課題】
【０００８】
このような問題を解決するために、本発明の目的は、前述した背景技術により案出されたもので、着用者の好みに応じて様々なデザイン及び機能を有するスマートウォッチを簡単な締結方式により切り替え及び使用可能な組立式スマートウォッチを提供することにある。
【０００９】
また、本発明の目的は、消費者が高価な時計をデザインごとに収集したり着用したとき、デザインを相違にして該当の部品のみを切り替えればよいため、スマートウォッチの使用による所要費用を著しく節減できる組立式スマートウォッチを提供することにある。
【００１０】
ただし、本発明の目的は、これに制限されるものではなくて、明らかに言及しなくても課題の解決手段や実施形態から把握され得る目的や効果についてもこれに含まれることはももちろんである。
【課題を解決するための手段】
【００１１】
このような課題を達成するための本発明の一実施形態によれば、組立式スマートウォッチにおいて、時間、日付、天気、マルチメディアを含む便宜機能の設定、選択、及び駆動が行われるよう構成された時計本体と、前記時計本体の上側外周面に分離自在に結合されたベゼルと、両側端部に時計バンドが切り替え可能に構成され、上部に前記時計本体が分離自在に結合され、前記ベゼルの下部が装着されながら機密性を向上させるよう構成されたケース部材と、前記ケース部材を貫通しながら前記時計本体と分離自在に結合され、前記便宜機能の選択及び駆動を行う設定ムーブメントとを含むことを特徴とする。
【００１２】
本発明の一実施形態に係る前記組立式スマートウォッチには、下部面に分離自在に結合された電源供給部材と、前記電源供給部材を前記時計本体に連結させるトリガーとをさらに含むことを特徴とする。
【００１３】
本発明の一実施形態によれば、前記時計本体には、移動端末と連動され、前記設定ムーブメントの作動有無に応じて前記便宜機能を出力するように制御する制御基板と、前記制御基板の制御に応じて前記便宜機能を出力するディスプレイ部と、内部に前記制御基板が実装され、上部面に前記ディスプレイ部が結合され、前記ケース部材に分離自在に結合される時計ハウジングをさらに含むことを特徴とする。
【００１４】
本発明の一実施形態によれば、前記時計ハウジングには、前記ベゼルが結合して上部外周面に沿って形成される装着部と、前記ケース部材と結合時に前記ディスプレイ部の表示位置が一定の位置に形成されるよう外周面に複数構成されるガイド溝と、前記ケース部材を貫通する締結手段が締結される締結溝と、前記締結溝の一側又は両側にそれぞれ形成され、前記設定ムーブメントと制御基板との電気的な接続を行う接続部と、下部外周面に突出形成され、外周面に沿って第１結合溝と前記第１結合溝の上側端部から垂直に延びる第２結合溝が形成された結合部がさらに構成されることを特徴とする。
【００１５】
本発明の一実施形態によれば、前記ケース部材には前記ベゼルの下部が装着される連結段付け部と、前記時計本体とケース部材とを結合する締結手段と前記設定ムーブメントが貫通するように形成された貫通ホールと、内周面に結合プレートを固定させる固定溝とがさらに構成されることを特徴とする。
【００１６】
本発明の一実施形態によれば、前記ケース部材には、前記時計本体の結合時に一定の方向にのみ結合が行われるようし、前記時計本体とケース部材の堅固な結合が行われるよう支持する結合プレートがさらに構成されることを特徴とする。
【発明の効果】
【００１７】
このような本発明の実施形態によれば、着用者の好みに応じて様々なデザイン及び機能を有するスマートウォッチを簡単な締結方式により切り替え及び使用可能であるため、消費者の服のコンセプトによって様々な時計デザインを実現することができる効果がある。
【００１８】
また、本発明の実施形態によれば、消費者が高価な時計をデザインごとに収集したり着用したいとき、デザインを相違にして該当の部品のみを切り替えればよいため、スマートウォッチの使用による所要費用を著しく節減できる効果がある。
【００１９】
それと共に、本発明の多様でありながら有益な長所及び効果は、上記で説明した内容に限定されることなく、本発明の具体的な実施形態を説明する過程でもっと容易に理解されるのであろう。
【図面の簡単な説明】
【００２０】
【図１】本発明の一実施形態に係る組立式スマートウォッチを示す分解斜視図である。
【図２】本発明の一実施形態に係る組立式スマートウォッチが結合された状態を示す斜視図である。
【図３】本発明の一実施形態に係る組立式スマートウォッチの時計本体を示す図である。
【図４】本発明の一実施形態に係る組立式スマートウォッチの時計本体を概略的に示す断面図である。
【図５】本発明の一実施形態に係るベゼルの底面部を示す図である。
【図６】本発明の一実施形態に係る組立式スマートウォッチのケース部材を示す分解斜視図である。
【図７】本発明の一実施形態に係る組立式スマートウォッチの組立て過程を示す図である。
【図８】本発明の一実施形態に係る組立式スマートウォッチの組立て過程を示す図である。
【図９】本発明の一実施形態に係る組立式スマートウォッチの組立て過程を示す図である。
【図１０】本発明の一実施形態に係る組立式スマートウォッチの組立て過程を示す図である。
【発明を実施するための形態】
【００２１】
以下、本発明の好適な実施形態を添付された図面を参照して詳細に説明する。まず、各図面の構成要素に参照符号の付加において、同じ構成要素について、たとえ他の図面上に表示されても、可能であれば同じ符号を有することに留意しなければならない。また、本発明の説明において、関連する公知構成又は機能に対する具体的な説明が本発明の要旨を曖昧にするものと判断される場合にはその詳細な説明は省略する。
【００２２】
また、本発明の構成要素の説明において、第１、第２、Ａ、Ｂ、（ａ）、（ｂ）などの用語を使用できる。このような用語は、その構成要素を他の構成要素と区別するためのものに過ぎず、その用語によって該当の構成要素の本質や順序などが限定されることはない。いずれかの構成要素が異なる構成要素に「連結」、「結合」又は「接続」されると記載された場合、その構成要素はその異なる構成要素に直接的に連結されたり、又は接続されることができるが、各構成要素の間に更なる構成要素が「連結」、「結合」又は「接続」され得ると理解されなければならないのであろう。
【００２３】
図１及び図２は、本発明の一実施形態に係る組立式スマートウォッチを示す斜視図であり、図３及び図４は、本発明の一実施形態に係る組立式スマートウォッチの時計本体を示す図であり、図５は、本発明の一実施形態に係るベゼルの底面部を示す図であり、図６は、本発明の一実施形態に係る組立式スマートウォッチのケース部材を示す分解斜視図であり、図７〜図１０は、本発明の一実施形態に係る組立式スマートウォッチの組立て過程を示す図である。
【００２４】
図示されたように、本発明の組立式スマートウォッチは、時計本体１００、ケース部材２００、結合プレート３００、トリガー４００を含んで構成される。
【００２５】
時計本体１００は、ケース部材２００と分離自在に結合され、時間情報及び様々なアプリケーションから提供される機能を出力するよう構成される。
【００２６】
ここで、様々なアプリケーションとは、スマートフォンと同じ移動端末にインストールされた健康情報、天気、及び位置情報提供アプリケーションであるか、音楽、動画、イメージ情報を提供するマルチメディアサービス提供アプリケーションを含み得る。
【００２７】
このような時計本体１００は、時計ハウジング１１０、接続部１２０、ベゼル１３０、制御基板１４０、ディスプレイ部１５０、設定ムーブメント１６０、及び締結手段１７０を含んで構成される。
【００２８】
時計ハウジング１１０は、上部が開放された筐体状に形成され、内部に制御基板１４０の実装が行われるよう構成され、開放された上段部でディスプレイ部１５０が装着されるよう挿入溝１１２が形成される。
【００２９】
ここで、挿入溝１１２は下部の一面が貫通するよう形成され、後述する電源供給部材５００と制御基板１４０の全てと電気的に接続される接続板１８０をさらに構成し、電源供給部材５００からスマートウォッチの駆動に必要な電源が前記接続板１８０によって制御基板１４０側に供給されるように構成される。
【００３０】
また、時計ハウジング１１０は、外面の上部にベゼル１３０と後述するケース部材２００の結合プレート３００が分離自在に装着されるようにする装着部１１４を形成している。
【００３１】
装着部１１４は、時計ハウジング１１０とベゼル１３０とが結合されるよう、前記時計ハウジング１１０の上部の外周面に沿って形成され、前記ベゼル１３０に構成された装着ガイド突起１３６が挿入及び固定される第１装着溝１１４ａと、前記第１装着溝１１４ａの下部で所定の間に隔離隔するよう複数構成され、時計ハウジング１１０とケース部材２００との間に結合されるよう結合プレート３００の装着突起３２０が挿入及び固定される第２装着溝１１４ｂから構成される。
【００３２】
また、時計ハウジング１１０の外周面には、時計本体１００の軸方向に垂直形成され、時計ハウジング１１０の外周面に沿って所定の間隔離隔するように複数構成されたり、又は、９０度間隔で構成されるガイド溝１１５がさらに構成される。
【００３３】
ガイド溝１１５は、時計本体１００がケース部材２００に結合されたとき、結合プレート３００に構成されたガイド突起３１０が上部から下部に摺動移動しながら挿入されることで、ディスプレイ部１５０が常に一定の位置に置かれるようにする。
【００３４】
これによって、ユーザが希望するデザインの時計本体１００をケース部材２００に結合するとき、ディスプレイ部１５０の上側及び下側に対する位置が誤った方向に組立てられながら再分解及び再結合する過程が繰り返されることを防止でき、本発明のスマートウォッチの組立て過程を手軽に実行することができる。
【００３５】
合わせて、時計ハウジング１１０には前記複数の第２装着溝１１４ｂの間に形成され、時計ハウジング１１０とケース部材２００との間の堅固な結合が行われるよう締結手段１７０が締結される締結溝１１８が形成されている。
【００３６】
また、前記締結溝１１８の一側又は両側にそれぞれ所定の間隔離隔するよう形成され、貫通形成されて設定ムーブメント１６０と制御基板１４０との間の電気的な接続を行う接続部１２０が形成される。
【００３７】
ここで、設定ムーブメント１６０は、ディスプレイ部１５０を通じて出力されるスマートウォッチの時間、日付、天気、マルチメディアなどのような様々な機能を選択したり、駆動可能にするものであって、少なくとも１つ以上前記接続部１２０に結合され得る。
【００３８】
ここで、接続部１２０は、設定ムーブメント１６０の回転量、又は、回転方向による信号を制御基板１４０に送信する接続端子のような信号送信手段が構成され、これにより、設定ムーブメント１６０の作動に応じて時間を調節したり、スマートウォッチをなしている様々なアプリケーションの選択及び駆動を実行させ得る。
【００３９】
また、本発明の時計ハウジング１１０には、下段部に時計本体１００とケース部材２００との結合を維持させたり、前記時計本体１００と電源供給部材５００とを結合するよう、トリガー４００が脱着可能に結合された結合部１１６がさらに構成される。
【００４０】
結合部１１６は、時計ハウジング１１０の下段に下向き延びるよう形成され、ケース部材２００を貫通しながら電源供給部材５００と分離自在に結合されるよう突出形成されている。
【００４１】
このような結合部１１６は、電源供給部材５００とトリガー４００によって分離自在に連結させるよう、前記トリガー４００に形成された固定突起４１０が引入される第１結合溝１１６ａと、前記第１結合溝１１６ａの上側端部から垂直に延長形成され、前記固定突起４１０が摺動移動しながら固定されるようにする第２結合溝１１６ｂが形成される。
【００４２】
このような時計ハウジング１１０は、本発明では円形であると説明したが、これに限定されることなく、四角形以上の多角形に構成され得る。
【００４３】
ベゼル１３０は、時計ハウジング１１０の第１装着溝１１４ａに分離及び回転自在に結合し、時計本体１００の上部面を覆うように構成される。
【００４４】
このようなベゼル１３０は、時計ハウジング１１０と整合するように前記第１装着溝１１４ａに挿入される装着ガイド突起１３６と、下面で下向に延びるように形成され、ベゼル１３０の円周面に沿って所定の間隔離隔して複数構成されるが、等間隔に構成される機密フランジ１３２を含んで構成され得る。
【００４５】
ここで、機密フランジ１３２は、ケース部材２００の上部面に形成された連結段付け部２２０に装着され、時計ハウジング１１０の外面とケース部材２００の内面との間の隙間に異質物の浸透を防止するように構成される。
【００４６】
ここで、機密フランジ１３２には、内周面に前記装着ガイド突起１３６が形成され、前記ベゼル１３０と時計ハウジング１１０とを結合すると同時に、時計ハウジング１１０とケース部材２００の機密性を提供できる。
【００４７】
また、ベゼル１３０は、外周面にユーザがベゼル１３０を容易に回転させ得るように回転支持突起１３８が構成されるが、これに限定されることはない。
【００４８】
また、ベゼル１３０の内周面には、目盛りなどが形成された数値表示部１３４が構成されるが、これに限定されることはない。
【００４９】
制御基板１４０は、スマートフォン、タブレットＰＣのような移動端末と連動して構成されることで、設定ムーブメント１６０の作動有無に応じて時間の表示のみならず、写真や動画の撮影、音楽や動画ファイルの再生、ゲームなどのような様々な便宜機能がディスプレイ部１５０を通じて出力されるよう制御する構成要素である。
【００５０】
また、制御基板１４０は、スマートウォッチの駆動に必要な電源供給を受けることができるよう接続板をさらに構成してもよく、前記接続板は、有線又は無線方式によって充電可能に構成され得る。
【００５１】
このような制御基板１４０はモバイル運営体制が搭載され、これによってスマートウォッチが独立的に通常のスマートフォンのように様々なアプリケーションを駆動できることはもちろんである。
【００５２】
ディスプレイ部１５０は、制御基板１４０の制御に応じて時間の表示のみならず、写真や動画の撮影、音楽や動画ファイルの再生、ゲームなどのように様々な便宜機能が出力される。
【００５３】
このようなディスプレイ部１５０は、通常のタッチスクリーンからなり、ユーザがディスプレイ部１５０を通じて出力されるアプリケーションのアイコンをタッチして直接駆動を制御するように構成されてもよい。
【００５４】
このような本発明の時計本体１００は、図面上には円形状に形成して図示したが、これに限定されることなく、多角形の形態であってもよく、時計ハウジング１１０及びベゼル１３０が様々な色からなり、ユーザ（着用者）の好みや服のコンセプトに応じて、その形態とデザインの変更を容易に実現させ得る。
【００５５】
ケース部材２００は、時計本体１００が分離自在に結合し、前記時計本体１００と電源供給部材５００とが電気的に接続されるよう構成することで、両側端部に時計バンド２０２が切り替えできるよう連結フランジ２５０を形成する。
【００５６】
また、ケース部材２００は、上部の円周面に沿って所定の間隔離隔するよう複数形成され、前記ベゼル１３０に構成された機密フランジ１３２が装着及び結合された連結段付け部２２０が形成される。
【００５７】
また、ケース部材２００の一側に前記設定ムーブメント１６０と締結手段１７０がそれぞれ貫通しながら、時計ハウジング１１０と結合するよう前記締結溝１１８及び接続部１２０と同じ中線心上に形成される貫通ホール２４０が複数構成されている。
【００５８】
このようなケース部材２００は、内周面に前記時計ハウジング１１０がケース部材２００に分離自在に結合されたよう支持する結合プレート３００をさらに構成し、前記結合プレート３００を固定させる固定溝２３０が形成される。
【００５９】
ここで、結合プレート３００は、時計本体１００の結合時に一定の方向にのみ結合させることで、ディスプレイ部１５０を通じて表示される便宜機能の表示方向が反対に表示されることを防止すると同時に、前記時計本体１００とケース部材２００との間の堅固な結合が行われるよう支持して、任意的に時計本体１００がケース部材２００から分離されることを防止する。
【００６０】
このような結合プレート３００は、時計ハウジング１１０に形成されたガイド溝１１５に挿入され、時計ハウジング１１０の結合位置を固定させるガイド突起３１０と、前記第２装着溝１１４ｂに挟み結合方式により結合し、時計ハウジング１１０をケース部材２００に結合する装着突起３２０を含んで構成される。
【００６１】
それと共に、結合プレート３００は、上部面で前記ベゼル１３０の機密フランジ１３２の間に形成される機密溝１３２ａに挿入され、時計本体１００とケース部材２００と間の機密性をより一層向上させる挿入段付け部３３０をさらに構成してもよい。
【００６２】
一方、本発明の時計バンド２０２は着用者の手首に接触しながら構成され、着用者の健康情報、又は、着用者の手の動作を検出し、検出された結果を近距離無線通信方式に基づいて制御基板１４０に送信し、ディスプレイ部１５０を通じて出力（表示）する多機能センサ２１０が内蔵されてもよい。
【００６３】
ここで、前記多機能センサ２１０は、着用者の心拍数を測定する心拍測定センサ、着用者の歩数を測定する歩数測定センサ、着用者の体温を測定する体温測定センサ、着用者の汗の成分を測定する汗の成分測定センサ、及び着用者の手の動作を検出するモーション検出センサのいずれか１つからなり、これに限定されることはない。
【００６４】
トリガー４００は、上側の内周面が時計ハウジング１１０の下部に形成された結合部１１６と結合し、下側の内周面に電源供給部材５００が分離自在に結合されるものとして、時計本体１００と電源供給部材５００とを連結する構成要素である。
【００６５】
このようなトリガー４００は、上部の内周面に前記結合部１１６に形成された第１及び第２結合溝１１６ａ，１１６ｂに結合された固定突起４１０と、下部の内周面に形成され、電源供給部材５００が分離自在に結合された電源連結部４２０から構成される。
【００６６】
ここで、固定突起４１０は、電源供給部材５００により前記第１及び第２結合溝１１６ａ，１１６ｂに一定の範囲だけ回転しながら分離自在に結合される。
【００６７】
また、電源連結部４２０はフランジ状に形成されてもよく、所定の間隔離隔するように複数の溝部を形成し、前記電源供給部材５００が前記溝部によって挟み結合されるよう構成されるが、これに限定されることはない。
【００６８】
このようなトリガー４００は、上部面がケース部材２００の下部面に密着して構成されながら、時計本体１００の下部をなす結合部１１６と結合することで、前記時計本体１００が結合プレート３００から任意的に分離されても前記ケース部材２００から離脱することを防止する。
【００６９】
即ち、前記トリガー４００は、前記時計本体１００を前記ケース部材２００に固定させるナットの機能を行うものである。
【００７０】
電源供給部材５００は、トリガー４００によって時計ハウジング１１０の結合部１１６と連結されるよう構成され、所定の電源を供給するのみならず、電源の充電ができるよう充電端子を構成している。
【００７１】
このような電源供給部材５００は、電源供給及び充電機能と共に、時計本体１００、ケース部材２００の結合及び分離を実行するようトリガー４００と時計本体１００と間の緊密な結合を支持する機能をさらに実行する。
【００７２】
即ち、前記電源供給部材５００の上部に突起状に構成されたツール固定部材５２０が、前記トリガー４００の電源連結部４２０に結合された状態で前記トリガー４００に構成された固定突起４１０を第１結合溝１１６ａに挿入させた後、第２結合溝１１６ｂ側に前記トリガー４００を回転させて第２結合溝１１６ｂに固定突起４１０を固定することで、トリガー４００と時計本体１００との間の結合及び分離を行う役割を果たす。
【００７３】
これにより、本発明の組立式スマートウォッチは、各構成要素の分離及び結合を行うとき別途の締結工具などが求められず、電源供給部材５００を組立ツール、締結工具などの機能として使用することで、組立て及び分離をより迅速かつ便利に行うことはもちろん、反復的な組立て及び分離により結合部位へへ裕隔が生じることで結合力が低下することを防止する。
【００７４】
以上で記載された「含む」、「構成する」又は「有する」などの用語は、特に反対となる記載がない限り、該当の構成要素が内在され得る可能性があることを意味するため、他の構成要素を除外するのでなく、他の構成要素をさらに含むものと解釈されるべきであり、技術的又は科学的な用語を含んでいる全ての用語は、相違に定義されない限り、本発明が属する技術分野で通常の知識を有する者により一般的に理解されるものと同じ意味を有する。
【００７５】
また、以上の説明は本発明の技術思想を例示的に説明したものに過ぎず、本発明が属する技術分野で通常の知識を有する者であれば、本発明の本質的な特性から脱皮しない範囲で様々な修正及び変形が可能であろう。従って、本発明に開示された実施形態は、本発明の技術思想を限定するものではなく、説明するためのものであって、このような実施形態により本発明の技術思想の範囲が限定されることはない。本発明の保護範囲は、以下の請求範囲によって解釈されるべきであり、それと同等な範囲内にある全ての技術思想は、本発明の権利範囲に含まれるものと解釈されなければならない。
【符号の説明】
【００７６】
１００：時計本体
１１０：時計ハウジング
１２０：接続部
１３０：ベゼル
１４０：制御基板
１５０：ディスプレイ部
１６０：設定ムーブメント
１７０：締結手段
１８０：接続板
２００：ケース部材
２１０：多機能センサ
２２０:連結段付け部
２３０：固定溝
２４０：貫通ホール
２５０：連結フランジ
３００：結合プレート
３１０：ガイド突起
３２０：装着突起
３３０：挿入段付け部
４００：トリガー
４１０：固定突起
４２０：電源連結部
５００：電源供給部材
【図１】
2019060845.tif 000003
【図２】
2019060845.tif 000004
【図３】
2019060845.tif 000005
【図４】
2019060845.tif 000006
【図５】
2019060845.tif 000007
【図６】
2019060845.tif 000008
【図７】
2019060845.tif 000009
【図８】
2019060845.tif 000010
【図９】
2019060845.tif 000011
【図１０】
2019060845.tif 000012